(57)【要約】【課題】ｘＤＳＬ通信網を介在させて網同期を前提とした通信装置間での通信を行う場合において、容易に通信装置間でのクロック同期を取る技術を提供する。【解決手段】ｘＤＳＬ信号を伝送するメタリック回線を介在して接続された第１の通信装置と第２の通信装置間の同期を取るための同期用システムにおいて、前記第１の通信装置が接続される同期網から当該同期網の同期用クロック信号を抽出するクロック抽出手段と、前記同期用クロック信号から、前記ｘＤＳＬ信号の周波数帯域と異なる周波数帯域の周波数を持つ同期信号を生成し、当該同期信号を前記メタリック回線に送出する同期信号生成送出手段と、前記メタリック回線から前記同期信号を抽出する同期信号抽出手段と、前記同期信号から前記同期用クロック信号を再生し、当該同期用クロック信号を前記第２の通信装置に供給するクロック再生出力手段とを備える。【選択図】図５
2009088793.tif 000002
【特許請求の範囲】
【請求項１】
ｘＤＳＬ信号を伝送する通信回線を介在して接続された第１の通信装置と第２の通信装置間の同期を取るための同期用システムであって、
前記第１の通信装置が接続される同期網から当該同期網の同期用クロック信号を抽出するクロック抽出手段と、
前記同期用クロック信号から、前記ｘＤＳＬ信号の周波数帯域と異なる周波数帯域の周波数を持つ同期信号を生成し、当該同期信号を前記通信回線に送出する同期信号生成送出手段と、
前記通信回線から前記同期信号を抽出する同期信号抽出手段と、
前記同期信号から前記同期用クロック信号を再生し、当該同期用クロック信号を前記第２の通信装置に供給するクロック再生出力手段と
を有することを特徴とする同期用システム。
【請求項２】
前記同期信号生成送出手段は、前記同期信号として差動信号を生成し、当該差動信号を前記通信回線に送出する請求項１に記載の同期用システム。
【請求項３】
前記同期信号生成送出手段は、前記同期信号として同相信号を生成し、当該同相信号を前記通信回線に送出する請求項１に記載の同期用システム。
【請求項４】
ｘＤＳＬ信号を伝送する通信回線を介在して接続された第１の通信装置と第２の通信装置間の同期を取るために使用される同期信号を送信する同期信号送信装置であって、
前記第１の通信装置が接続される同期網から当該同期網の同期用クロック信号を抽出するクロック抽出手段と、
前記同期用クロック信号から、前記ｘＤＳＬ信号の周波数帯域と異なる周波数帯域の周波数を持つ同期信号を生成し、当該同期信号を前記通信回線に送出する同期信号生成送出手段と
を有することを特徴とする同期信号送信装置。
【請求項５】
ｘＤＳＬ信号を伝送する通信回線を介在して接続された第１の通信装置と第２の通信装置間の同期を取るための同期用クロック信号を前記第２の通信装置に供給するクロック供給装置であって、
前記第１の通信装置が接続される同期網の同期用クロック信号から生成された、前記ｘＤＳＬ信号の周波数帯域と異なる周波数帯域の周波数を持つ同期信号を前記通信回線から抽出する同期信号抽出手段と、
前記同期信号から前記同期用クロック信号を再生し、当該同期用クロック信号を前記第２の通信装置に供給するクロック再生出力手段と
を有することを特徴とするクロック供給装置。
【請求項６】
ｘＤＳＬ信号を伝送する通信回線を介在して接続された第１の通信装置と第２の通信装置間の同期を取るための同期方法であって、
前記第１の通信装置が接続される同期網から当該同期網の同期用クロック信号を抽出するクロック抽出ステップと、
前記同期用クロック信号から、前記ｘＤＳＬ信号の周波数帯域と異なる周波数帯域の周波数を持つ同期信号を生成し、当該同期信号を前記通信回線に送出する同期信号生成送出ステップと、
前記通信回線から前記同期信号を抽出する同期信号抽出ステップと、
前記同期信号から前記同期用クロック信号を再生し、当該同期用クロック信号を前記第２の通信装置に供給するクロック再生出力ステップと
を有することを特徴とする同期方法。
【発明の詳細な説明】
【技術分野】
【０００１】
本発明は、ｘＤＳＬ（Digital Subscriber Line）を利用してクロック同期を必要とする通信装置間での通信を行う技術に関するものである。
【背景技術】
【０００２】
メタリック回線を利用して高速ディジタル通信を行うｘＤＳＬ技術が普及している。ｘＤＳＬとしてはADSL(Asymmetric Digital Subscriber Line )/ HDSL(High-bit-rate Digital Subscriber Line) / SDSL（Symmetric Digital Subscriber Line）/ VDSL（Very high-bit-rate Digital Subscriber Line）等がある。
【０００３】
また、ｘＤＳＬの高速化が進んでおり、例えば上りと下りの伝送レートがそれぞれ１００ＭｂｐｓのＶＤＳＬがある。ｘＤＳＬ技術を用いることにより、電話線として使用される既設のメタリック回線を用いて容易にディジタルデータ通信を行う  ことができる。
【０００４】
図１にメタリック回線を用いてｘＤＳＬ通信を行う従来の通信システムを示す。
【０００５】
図１に示す通信システムでは、拠点ＡにおいてｘＤＳＬモデム１がイーサネット（登録商標）回線３によりＩＰ（Internet Protocol）網５に接続されている。なお、ｘＤＳＬモデム１はＩＴＵ−ＴＧ．９９１／９９２／９９３で規定される機能を持つ装置である。スプリッタ７が電話交換機９とｘＤＳＬモデム１とにそれぞれメタリック回線１１、１３により接続される。スプリッタ７により、音声信号とｘＤＳＬ信号とが重畳され、これらが拠点Ｂ側にメタリック回線１５を介して送信される。また、スプリッタ７は拠点Ｂ側から送信された信号を音声信号とｘＤＳＬ信号に分離する。
【０００６】
拠点Ｂ側では、ユーザ端末１７に接続されたｘＤＳＬモデム１９が、メタリック回線１５を介して受信した信号からイーサネット信号を生成してそれをユーザ端末１７に送信する。また、スプリッタ２１が、メタリック回線１５を介して受信した信号から音声信号を抽出し、電話機２３に送信する。図１に示す各メタリック回線は平衡伝送を行う１対の回線である。なお、拠点Ｂ側におけるスプリッタ２１を、図２に示すように配置する構成とすることも可能である。
【０００７】
ところで、同期網上で動作する通信装置（ＡＴＭ通信装置、ＳＤＨ伝送装置等）同士を接続するためには一般的に光ケーブルや同軸ケーブルから構成される専用回線が必要である。しかし、通信装置を設置する場所によっては、そのようなケーブルを新たに敷設できない場合がある。そのような場合に、既設のメタリック回線を利用してｘＤＳＬにより上記通信装置間での通信を行うことが考えられる。
【０００８】
なお、本願に関連する先行技術文献として特許文献１〜４がある。
【特許文献１】特開平１０−２３３７６７号公報
【特許文献２】特開２００４−１２９００９号公報
【特許文献３】特開２００４−５３３７８８号公報
【特許文献４】特開２００５−３０３７７７号公報
【発明の開示】
【発明が解決しようとする課題】
【０００９】
ｘＤＳＬでは非同期通信が行われるため、上述したような網同期を前提とした通信装置間でのデータ通信をｘＤＳＬを介在させて行う場合、当該通信装置間での同期を取ることが困難であるという問題がある。
【００１０】
図３に、網同期を前提とした通信装置であるＡＴＭ通信装置２５、２７間での通信をｘＤＳＬを介在させて行う場合の構成例を示す。図３に示す例は、拠点ＡにＩＰ網５ではなくＡＴＭ通信装置２５が備えられ、更にＡＴＭ−イーサネット変換部２９が備えられ、拠点Ｂにユーザ端末１７でなくＡＴＭ通信装置２７が備えられ、更にＡＴＭ−イーサネット変換部３１が備えられている点が図１に示す構成と異なる。ＡＴＭ−イーサネット変換部２９、３１はそれぞれ網同期を前提としたＡＴＭ通信装置の一種である。また、図３に示すように、ｘＤＳＬモデム１とＡＴＭ−イーサネット変換部２９とを含む部分をｘＤＳＬ−ＡＴＭインタフェース装置３３と称し、ｘＤＳＬモデム１９とＡＴＭ−イーサネット変換部３１とを含む部分をｘＤＳＬ−ＡＴＭインタフェース装置３５と称している。
【００１１】
なお、ＡＴＭは「非同期転送モード」であるが、実際のＡＴＭ通信装置の物理レイヤでは網同期型のＳＤＨ（Synchronous Digital Hierarchy）フレームが使用されているので、ＡＴＭ通信装置が正常にセルの送受信を行うためには装置間でクロック同期が取られていることが必要である。
【００１２】
拠点ＡにおけるＡＴＭ-イーサネット変換部２９は、同期網であるＡＴＭ回線３７から受信するＡＴＭセルをイーサネットフレームに変換し、ｘＤＳＬモデム１に入力する。また、ＡＴＭ−イーサネット変換部２９は、ｘＤＳＬモデム１から受信するイーサネットフレームをＡＴＭセルに変換してＡＴＭ回線３７に出力する。
【００１３】
拠点ＢにおけるＡＴＭ−イーサネット変換部３１は、ＡＴＭ回線３９から受信するＡＴＭセルをイーサネットフレームに変換し、ｘＤＳＬモデム１９に入力する。また、ＡＴＭ−イーサネット変換部３１は、ｘＤＳＬモデム１９から受信するイーサネットフレームをＡＴＭセルに変換してＡＴＭ回線３９に出力する。
【００１４】
拠点ＡのＡＴＭ通信装置２５にはＡＴＭ網における同期を確立するための基準クロック信号が供給される。ＡＴＭ−イーサネット変換部２９は、ＡＴＭ回線３７を介して受信する信号から基準クロックに同期している同期用クロック信号を抽出し、この同期用クロック信号に同期して動作している。なお、同期網において回線から受信する信号からクロック信号を抽出する技術は一般的な技術である。
【００１５】
また、拠点ＢのＡＴＭ−イーサネット変換部３１は自律クロック装置を内蔵している。当該自律クロック装置は、ＡＴＭ網の基準クロック信号に同期しない、ＡＴＭ−イーサネット変換部３１とＡＴＭ通信装置２７間のＡＴＭ通信のためのローカルクロック信号を供給するためのものである。
【００１６】
図３の構成では、自律クロック装置が供給するクロック信号を、ＡＴＭ網の基準クロック信号に同期させることができないため、両者のクロック周波数は異なり、ＡＴＭ通信装置２５、２７間で使用するクロック信号に位相差が生じる。これにより、ＡＴＭ通信装置２５、２７間では正常にＡＴＭセルの通信を行うことができなくなる。例えばＡＴＭ通信装置２５、２７におけるデータバッファにアンダーフロー／オーバフローが生じ、その結果、データの欠損が生じる。信頼性を要求する制御データが欠損した場合には動作不良が発生する。
【００１７】
拠点Ｂに自律クロック装置を備えることなく、拠点Ａにおいて同期情報をディジタルデータ（イーサネットフレーム等）中に挿入し、それを拠点Ｂに送信することにより、拠点Ｂにおいて同期情報から同期用クロック信号を生成して同期をとる方法もある。
【００１８】
この場合、拠点ＡのＡＴＭ−イーサネット変換部２９は、ＡＴＭ回線３７からＡＴＭ網の同期用クロック信号を抽出し、同期フレームやタイムスタンプデータ等の同期情報を生成し、それをＡＴＭ−イーサネット変換部３１に向けてディジタルデータとして送信する。
【００１９】
そして、ＡＴＭ−イーサネット変換部３１は、ＡＴＭ−イーサネット変換部３７から送られてきた同期情報を用いることにより同期用クロック信号を再生し、そのクロック信号に同期した動作を行う。
【００２０】
しかし、ｘＤＳＬの送信データは揺らぎが大きく、その揺らぎを吸収するためのバッファが必要であり、更にｘＤＳＬの速度が大きくなるにつれ、バッファも大きな容量のものを用意しなくてはならない。従って、上記の方法を採用する場合、制御回路を含めると同期状態を安定化するための回路規模が大きくなるという問題がある。
【００２１】
本発明は上記の点に鑑みてなされたものであり、ｘＤＳＬ通信網を介在させて網同期を前提とした通信装置間での通信を行う場合において、容易に通信装置間でのクロック同期を取る技術を提供することを目的とする。
【課題を解決するための手段】
【００２２】
本発明の一実施形態によれば、ｘＤＳＬ信号を伝送する通信回線を介在して接続された第１の通信装置と第２の通信装置間の同期を取るための同期用システムが提供される。当該同期用システムは、前記第１の通信装置が接続される同期網から当該同期網の同期用クロック信号を抽出するクロック抽出手段と、前記同期用クロック信号から、前記ｘＤＳＬ信号の周波数帯域と異なる周波数帯域の周波数を持つ同期信号を生成し、当該同期信号を前記メタリック回線に送出する同期信号生成送出手段と、前記通信回線から前記同期信号を抽出する同期信号抽出手段と、前記同期信号から前記同期用クロック信号を再生し、当該同期用クロック信号を前記第２の通信装置に供給するクロック再生出力手段とを有する。
【発明の効果】
【００２３】
本発明によれば、ｘＤＳＬ信号の周波数帯域と異なる周波数帯域の周波数を持つ同期信号を通信回線上に送出し、受信側において当該同期信号から同期用クロック信号を再生して利用することとしたので、同期情報をディジタルデータとして送信する方式に比べて容易にｘＤＳＬ通信網を介在させた通信装置間でのクロック同期を取ることが可能となる。
【発明を実施するための最良の形態】
【００２４】
以下、図面を参照して本発明の実施の形態について説明する。
【００２５】
<第１の実施の形態>
図４は、本発明の第１の実施の形態における通信システムの構成図である。図４に示す構成では、拠点Ａは、網同期を必要とする通信装置４０と、同期信号送信装置４２と、ｘＤＳＬ−同期網インタフェース装置４４を有している。また、拠点Ｂは、ｘＤＳＬ−同期網インタフェース装置４６とクロック供給装置４８と、網同期を必要とする通信装置５０とを有している。
【００２６】
通信装置４０とｘＤＳＬ−同期網インタフェース装置４４は通信装置４０の通信方式に応じた回線５２（例えば同軸ケーブル）で接続され、ｘＤＳＬ−同期網インタフェース装置４４とｘＤＳＬ−同期網インタフェース装置４６は電話線として用いることが可能なメタリック回線５４で接続される。また、ｘＤＳＬ−同期網インタフェース装置４６と通信装置５０は通信装置５０の通信方式に応じた回線５６で接続される。なお、通信装置４０とｘＤＳＬ−同期網インタフェース装置４４を接続する回線５２は同期網を構成するものである。また、ｘＤＳＬ−同期網インタフェース装置４４、４６はそれぞれ網同期を必要とする通信装置の一種である。
【００２７】
同期信号送信装置４２は、回線５２と接続されるとともに、メタリック回線５４に接続される。また、クロック供給装置４８はｘＤＳＬ−同期網インタフェース装置４６に接続される。また、拠点Ａにおける通信装置４０には、通信装置４０を含む同期網における同期の基準となる基準クロック信号が供給されている。通信装置４０は外部のクロック生成装置から基準クロック信号を受信してもよいし、基準クロック信号を生成するクロック生成装置を内蔵してもよい。
【００２８】
以下、基準クロック信号に同期し、同期網上の通信装置間を伝送されるクロック信号を同期用クロック信号と呼ぶことにする。他の実施の形態でも同様である。同期用クロック信号は基準クロック信号と同じクロック信号であってもよいし、基準クロック信号とは周波数の異なるクロック信号であってもよい。なお、図示していないが、通信装置４０と通信装置５０はそれぞれ、同期網上の他の通信装置と接続することが可能である。
【００２９】
拠点Ａにおける同期信号送信装置４２は、クロック抽出部５８と、分周部６０と、同期信号生成送出部６２を有している。ここで、クロック抽出部５８をｘＤＳＬ−同期網インタフェース装置４４内に備えてもよい。また、拠点Ｂにおけるクロック供給装置４８は、同期信号抽出部６４と、クロック再生出力部６６を有している。
【００３０】
図４に示す構成では、同期信号送信装置４２が同期用クロック信号から生成した同期信号をメタリック回線５４上にｘＤＳＬ信号と異なる周波数帯域のアナログ信号として、ｘＤＳＬ信号と重畳して送出する。拠点Ｂにおけるクロック供給装置４８は、メタリック回線５４から上記同期信号を抽出し、その同期信号に基づき基準クロック信号に同期した同期用クロック信号を再生し、それをｘＤＳＬ−同期網インタフェース装置４６に供給する。そして、同期用クロック信号は通信装置５０に供給される。
【００３１】
通信装置５０は、供給された同期用クロック信号に基づき通信装置４０との同期を取ることができ、同期網上での通信を適切に行うことができる。図４に示す通信システムにおける同期に関する各部の動作は次のとおりである。
【００３２】
同期信号送信装置４２におけるクロック抽出部５８が、通信装置４０から送出される信号から同期用クロック信号を抽出する。分周部６０において、クロック抽出部５８により抽出された同期用クロック信号を、適切な周波数になるように分周し、分周したクロック信号は同期信号生成送出部６２に入力される。同期信号生成送出部６２は、入力されたクロック信号の波形を整形することによりｘＤＳＬ信号と異なる周波数帯域のアナログ信号である同期信号を生成し、メタリック回線５４に出力する。
【００３３】
拠点Ｂにおける同期信号抽出部６４は、メタリック回線５４上を伝送される信号から同期信号を抽出し、それをクロック再生出力部６６に入力する。クロック再生出力部６６は同期信号に基づき同期用クロック信号を再生し、ｘＤＳＬ−同期網インタフェース装置４６に供給する。
【００３４】
<第２の実施の形態>
次に、本発明の第２の実施の形態について説明する。
【００３５】
（基本構成）
図５は、本発明の第２の実施の形態における通信システムの構成図である。第２の実施の形態は、図３に示した構成に第１の実施の形態で説明した通信装置間の同期方式を適用した形態である。
【００３６】
図５に示すとおり、拠点Ａに電話交換機９が備えられ、それがスプリッタ７に接続される。また、拠点Ａには基準クロックが供給されるＡＴＭ通信装置２５と、ｘＤＳＬ−ＡＴＭインタフェース装置７０が備えられる。
【００３７】
ｘＤＳＬ−ＡＴＭインタフェース装置７０は、ＡＴＭ−イーサネット変換部７２と、ｘＤＳＬモデム１と、分周部７４と、同期信号送出部７６を有する。同期信号送出部７６は、メタリック回線１３に接続される。
【００３８】
拠点Ｂには、電話機２３とスプリッタ２１が備えられ、スプリッタ２１はメタリック回線１５に接続される。また、拠点ＢにはｘＤＳＬ−ＡＴＭインタフェース装置８０とＡＴＭ通信装置２７が備えられている。ｘＤＳＬ−ＡＴＭインタフェース装置８０は、ｘＤＳＬモデム１９と、ＡＴＭ−イーサネット変換部８２と、同期信号抽出部８４と、クロック再生出力部８６とを有する。
【００３９】
図５に示す通信システムにおいて、網同期を前提とした通信データを、ｘＤＳＬによる非同期通信を利用して中継する。ＡＴＭ通信装置２５から出力されたＡＴＭセルはイーサフレームに変換されｘＤＳＬモデム１からｘＤＳＬ信号として出力され、メタリック回線１５を経由して拠点Ｂに到達する。
【００４０】
また、ＡＴＭ通信装置２５からは基準クロック信号に同期した同期用クロック信号がＡＴＭ回線上に送出される。ｘＤＳＬ−ＡＴＭインタフェース装置７０において、ＡＴＭ回線３７から同期用クロック信号を抽出し、その同期用クロック信号から同期信号を生成し、それをアナログ信号としてメタリック回線１５を経由して転送する。ｘＤＳＬ−ＡＴＭインタフェース装置８０では、受信した同期信号から同期用クロック信号を再生し、ｘＤＳＬ−ＡＴＭインタフェース装置８０とＡＴＭ通信装置２７をＡＴＭ網の基準クロックに同期させる。図５におけるｘＤＳＬ−ＡＴＭインタフェース装置７０、８０における各部の動作を以下に説明する。
【００４１】
拠点ＡにおけるＡＴＭ−イーサネット変換部７２は、ＡＴＭ回線３７から受信するＡＴＭセルをイーサネットフレームに変換し、ｘＤＳＬモデム１に入力する。また、ＡＴＭ−イーサネット変換部７２は、ｘＤＳＬモデム１から受信するイーサネットフレームをＡＴＭセルに変換する。さらに、ＡＴＭ−イーサネット変換部７２は、ＡＴＭ回線３７上を伝送される信号からＡＴＭ網の同期用クロック信号を抽出し、抽出した同期用クロック信号を分周部７４に渡す機能を有している。
【００４２】
分周部７４は例えばカウンタ回路であり、メタリック回線１３、１５で送信する同期信号が適切な周波数になるように、ＡＴＭ−イーサネット変換部７２から受信する同期用クロック信号を分周する。
【００４３】
ＡＴＭ回線３７より抽出したクロック信号は一般的に高い周数数を持つ。この周波数をそのままにして同期信号を生成し、それをメタリック回線に送出すると、同期信号の周波数がｘＤＳＬの使用周波数帯域と重なる恐れがある。また、高周波数のためメタリック回線での損出が大きくなる。従って、分周部７４においてＡＴＭ−イーサネット変換部７２から受信した同期用クロック信号の周波数を数ｋＨｚのオーダーの周波数まで落としている。
【００４４】
同期信号送出部７６は、分周部７４から受信したクロック信号の波形を整形することにより同期信号を作成し、それをメタリック回線１３上に送出する。同期信号は単一周波数で、かつ、その周波数がｘＤＳＬにおける使用周波数帯域と異なるようにする。これにより、同期信号とｘＤＳＬにおいて伝送されるデータ信号等とがお互いに干渉することがないようにしている。
【００４５】
図６に、本実施の形態においてメタリック回線に送出される同期信号の周波数スペクトルを示す。図６に示すように、メタリック回線上を伝送される音声信号の帯域及びｘＤＳＬの使用帯域と重ならない周波数帯域を同期信号の周波数として使用する。
【００４６】
拠点ＢのｘＤＳＬ−ＡＴＭインタフェース装置８０における同期信号抽出部８４は、メタリック回線１５上において、音声信号、ｘＤＳＬ信号及び同期信号が重畳された信号から、同期信号を分離し、分離した同期信号をクロック再生出力部８６に渡す。クロック再生出力部８６は、同期信号抽出部８４から受信した同期信号に基づき、ＡＴＭ網の同期用クロック信号を生成し、それをＡＴＭ−イーサネット変換部８２に供給する。
【００４７】
ＡＴＭ−イーサネット変換部８２は、ＡＴＭ通信装置２７から受信したＡＴＭセルをイーサネットフレームに変換し、ｘＤＳＬモデム１９に送信する。また、ＡＴＭ−イーサネット変換部８２は、ｘＤＳＬモデム１９から受信したイーサネットフレームをＡＴＭセルに変換し、ＡＴＭ通信装置２７に送信する。このとき、ＡＴＭ−イーサネット変換部８２は、クロック再生出力部８６から受信したＡＴＭ網の同期用クロック信号を用いてＡＴＭ網に同期した通信を行う。
【００４８】
（詳細構成例１）
図７にｘＤＳＬ−ＡＴＭインタフェース装置７０、８０の詳細構成例１を示す。図７は、ｘＤＳＬ−ＡＴＭインタフェース装置７０における同期信号送出部７６と、同期信号をメタリック回線１３に供給する結合回路９０を詳細に示している。また、図７は、ｘＤＳＬ−ＡＴＭインタフェース装置８０においてメタリック回線１５を伝送される信号から同期信号を分離する分離回路１００と、同期信号抽出部８４とを詳細に示している。
【００４９】
ｘＤＳＬ−ＡＴＭインタフェース装置７０における同期信号送出部７６は、波形整形部９２、及び差動信号生成部９４を有する。また、結合回路９０は、ｘＤＳＬ信号を通し、同期信号を除去するためのハイパスフィルタ９６と、同期信号を通し、ｘＤＳＬ信号を除去するためのローパスフィルタ９８を有する。
【００５０】
また、ｘＤＳＬ−ＡＴＭインタフェース装置８０における同期信号抽出部８４は、差動増幅部１０２、及び波形整形部１０４を有する。また、分離回路１００は、ｘＤＳＬ信号を通し、同期信号を除去するためのハイパスフィルタ１０６と、ｘＤＳＬ信号及び音声信号を除去し、同期信号のみを通すためのバンドパスフィルタ１０８を有する。次に、図７の構成における動作を説明する。
【００５１】
拠点ＡのＡＴＭ−イーサネット変換部７２が、ＡＴＭ網の同期用クロック信号を抽出し、それを分周部７４に出力する。分周部７４は、同期用クロック信号の周波数を予め定めた周波数まで下げ、周波数を下げたクロック信号を同期信号送出部７６に出力する。ＡＴＭ−イーサネット変換部７２により抽出された同期用クロック信号の例を図８の（ａ）に示し、分周部７４から出力される信号の例を図８の（ｂ）に示す。
【００５２】
続いて、分周部７４から出力された信号は波形整形部９２に入力される。波形整形部９２は、方形波の信号を正弦波（単一周波数）の信号に変換する。波形整形部９２から出力される信号の例を図８の（ｃ）に示す。
【００５３】
波形整形部９２から出力された信号は差動信号生成部９４に入力される。差動信号生成部９４は、波形整形部９２から出力された信号から、平衡伝送を行うメタリック回線（加入者線のＴｉｐ線、Ｒｉｎｇ線を有する）用に差動信号（位相が異なる２つの正弦波）を生成する。なお、差動信号は、２つの信号の電位差を信号レベルとする信号である。図８の（ｄ）に差動信号の例を示す。差動信号生成部９４から出力された差動信号は結合回路９０からメタリック回線に重畳される。
【００５４】
メタリック回線を介してｘＤＳＬ−ＡＴＭインタフェース装置８０に送られた差動信号である同期信号は、分離回路１００により他の信号から分離され、同期信号抽出部８４における差動増幅部１０２に入力される。差動増幅部１０４は、差動増幅を行い、平衡伝送である同期信号を不平衡伝送にする。そして、同期信号は波形整形部１０４により図８の（ｂ）に示す方形波の信号に変換され、その信号はクロック再生出力部８６に入力される。
【００５５】
クロック再生出力部８６は、例えば周波数変換機能を持つＰＬＬ回路により構成され、波形整形部１０４から入力された信号に基づきＡＴＭ網の基準クロック信号に同期した同期用クロック信号（図８の（ａ））を生成し、ＡＴＭ−イーサネット変換部８２に出力する。ＡＴＭ−イーサネット変換部８２は、クロック再生出力部８６から出力された同期用クロック信号を用いてＡＴＭ網と同期を取る。
【００５６】
図９に、同期信号送出部７６を構成する具体的回路の一例を示す。図９に示すように、波形整形部９２としてローパスフィルタ（ＬＰＦ）を用いることができる。また、差動信号生成部９４としては、トランジスタ１１０と抵抗Ｒ１、Ｒ２、Ｒ３を有する増幅回路と、トランス１１２を用いることができる。増幅回路により増幅された正弦波信号がトランス１１２の一次コイルに入力され、２次コイルから差動信号が出力される。
【００５７】
図１０に、同期信号抽出部８４を構成する具体的回路の一例を示す。図１０に示すように、差動増幅部１０２としてオペアンプを含む差動増幅回路１１４を用いることができ、波形整形部１０４としてオペアンプを含む比較回路１１６を用いることができる。
【００５８】
図７に示す構成例１において、同期信号とｘＤＳＬ信号、音声信号は、どれも差動信号であり、周波数帯が重なった場合は互いに干渉しあう。従って、それぞれの周波数帯を区分する必要がある。なお、外来ノイズは同相信号にてメタリック回線に入ってくるため、差動信号を同期信号として用いる構成例１では外来ノイズの影響を受けにくいという特徴がある。
【００５９】
（詳細構成例２）
図１１にｘＤＳＬ−ＡＴＭインタフェース部７０、８０の詳細構成例２を示す。以下、構成例１と異なる点について説明する。
【００６０】
構成例２は、メタリック回線に重畳する同期信号として同相信号を生成する点が構成例１と異なる。従って、構成例２では構成例１における差動信号生成部９４に代えて同相信号生成部１２０が備えられる。また、構成例１における差動増幅部１０２に代えて加算増幅部１２２が備えられる。
【００６１】
同相信号生成部１２０は、波形整形部９２から出力された信号から、平衡伝送を行うメタリック回線（加入者線のＴｉｐ線、Ｒｉｎｇ線を有する）用に同相信号（同じ位相の２つの正弦波）を生成する。図８の（ｅ）に同相信号の例を示す。同相信号生成部１２０から出力された同相信号は結合回路９０からメタリック回線に重畳される。
【００６２】
また、分離回路１００から同期信号を受信した加算増幅部１２２は、加算増幅を行って平衡伝送である同期信号を不平衡伝送にし、加算増幅した信号を波形整形部１０４に出力する。
【００６３】
図１２に、構成例２における同期信号送出部７６を構成する具体的回路の一例を示す。図１２に示すように、同相信号生成部１２０として、トランジスタ１２４と抵抗Ｒ１、Ｒ２、Ｒ３を有する増幅回路と、トランス１２６を用いることができる。増幅回路により増幅された正弦波信号がトランスの一次コイルに入力され、２つの２次コイルから同相信号が出力される。
【００６４】
図１３に、構成例２における同期信号抽出部８４を構成する具体的回路の一例を示す。図１２に示すように、加算増幅部１２２としてオペアンプを含む加算増幅回路１２８を用いることができる。
【００６５】
図１１に示す構成例２において、ｘＤＳＬ信号と音声信号は差動信号であり、同期信号は同相信号であるため、同相信号がｘＤＳＬ信号及び音声信号と干渉し難いという利点がある。ただし、同相信号である同期信号は、同じく同相信号である外来ノイズの影響を受けやすい。そのため、構成例２における分離回路１００のバンドパスフィルタ１０８は、ノイズ信号を除去し、同期信号のみを通す特性を持ったフィルタとする。
【００６６】
<第３の実施の形態>
次に、第３の実施の形態について説明する。図１４に、第３の実施の形態における通信システムの構成を示す。第３の実施の形態は、音声通信を利用していないメタリック回線１３０をＡＴＭ通信装置２５、２７間の通信に用いる例である。図１４に示すように、電話交換機、スプリッタ、及び電話機が備えられていない点が図５に示す構成と異なる。その他の構成は第２の実施の形態と基本的に同じである。また、詳細構成として詳細構成例１、詳細構成例２を適用できる。
【００６７】
図１５は、第３の実施の形態におけるメタリック回線上の信号の周波数スペクトルを示す図である。図１５に示すように、第３の実施の形態では音声通信を利用していないため、音声帯域を考慮することなく、ｘＤＳＬ信号が使用していない帯域を同期信号の周波数帯域として使用できる。従って、同期信号の周波数選択の自由度が高くなる。また、第３の実施の形態では、音声通信を利用していないため、詳細構成例１におけるｘＤＳＬ−ＡＴＭインタフェース装置８０の分離回路１００におけるバンドパスフィルタ１０８に代えて、ｘＤＳＬ信号を除去するローパスフィルタを用いることとしてもよい。
【００６８】
第１〜第３の実施の形態で説明した方式によれば、メタリック回線上にｘＤＳＬ信号と同期信号を重畳し、同期信号を受信した側でその同期信号より同期用クロック信号を生成する。この同期用クロック信号を用いることにより、ｘＤＳＬ回線を介在して接続された網同期を前提とする通信装置間を同期させることが可能となる。よって、既設のメタリックケーブルを使用して網同期を前提とする通信装置を設置することができるため、高価な光ケーブルや同軸ケーブルなどの専用回線を用意する必要がなく、容易に網同期のシステムを構築することが可能となる。
【００６９】
また、第１〜第３の実施の形態で説明した方式によれば、ディジタルデータとして同期情報を送信する方式に比べて容易にｘＤＳＬ回線を介在して接続された網同期を前提とする通信装置間の同期を取ることが可能となる。
【００７０】
本発明は、上記の実施例に限定されることなく、特許請求の範囲内で種々変更・応用が可能である。
（付記１）
ｘＤＳＬ信号を伝送する通信回線を介在して接続された第１の通信装置と第２の通信装置間の同期を取るための同期用システムであって、
前記第１の通信装置が接続される同期網から当該同期網の同期用クロック信号を抽出するクロック抽出手段と、
前記同期用クロック信号から、前記ｘＤＳＬ信号の周波数帯域と異なる周波数帯域の周波数を持つ同期信号を生成し、当該同期信号を前記通信回線に送出する同期信号生成送出手段と、
前記通信回線から前記同期信号を抽出する同期信号抽出手段と、
前記同期信号から前記同期用クロック信号を再生し、当該同期用クロック信号を前記第２の通信装置に供給するクロック再生出力手段と
を有することを特徴とする同期用システム。
（付記２）
前記同期信号生成送出手段は、前記同期信号として差動信号を生成し、当該差動信号を前記通信回線に送出する付記１に記載の同期用システム。
（付記３）
前記同期信号生成送出手段は、前記同期信号として同相信号を生成し、当該同相信号を前記通信回線に送出する付記１に記載の同期用システム。
（付記４）
前記同期信号生成送出手段は、前記ｘＤＳＬ信号の周波数帯域と異なり、更に前記通信回線上を伝送される音声信号の周波数帯域と異なる周波数帯域の周波数を持つ同期信号を生成する付記１に記載の同期用システム。
（付記５）
ｘＤＳＬ信号を伝送する通信回線を介在して接続された第１の通信装置と第２の通信装置間の同期を取るために使用される同期信号を送信する同期信号送信装置であって、
前記第１の通信装置が接続される同期網から当該同期網の同期用クロック信号を抽出するクロック抽出手段と、
前記同期用クロック信号から、前記ｘＤＳＬ信号の周波数帯域と異なる周波数帯域の周波数を持つ同期信号を生成し、当該同期信号を前記通信回線に送出する同期信号生成送出手段と
を有することを特徴とする同期信号送信装置。
（付記６）
前記同期信号生成送出手段は、前記同期信号として差動信号を生成し、当該差動信号を前記通信回線に送出する付記５に記載の同期信号送信装置。
（付記７）
前記同期信号生成送出手段は、前記同期信号として同相信号を生成し、当該同相信号を前記通信回線に送出する付記５に記載の同期信号送信装置。
（付記８）
ｘＤＳＬ信号を伝送する通信回線を介在して接続された第１の通信装置と第２の通信装置間の同期を取るための同期用クロック信号を前記第２の通信装置に供給するクロック供給装置であって、
前記第１の通信装置が接続される同期網の同期用クロック信号から生成された、前記ｘＤＳＬ信号の周波数帯域と異なる周波数帯域の周波数を持つ同期信号を前記通信回線から抽出する同期信号抽出手段と、
前記同期信号から前記同期用クロック信号を再生し、当該同期用クロック信号を前記第２の通信装置に供給するクロック再生出力手段と
を有することを特徴とするクロック供給装置。
（付記９）
前記同期信号は差動信号である付記８に記載のクロック供給装置。
（付記１０）
前記同期信号は同相信号である付記８に記載のクロック供給装置。
（付記１１）
ｘＤＳＬ信号を伝送する通信回線を介在して接続された第１の通信装置と第２の通信装置間の同期を取るための同期方法であって、
前記第１の通信装置が接続される同期網から当該同期網の同期用クロック信号を抽出するクロック抽出ステップと、
前記同期用クロック信号から、前記ｘＤＳＬ信号の周波数帯域と異なる周波数帯域の周波数を持つ同期信号を生成し、当該同期信号を前記通信回線に送出する同期信号生成送出ステップと、
前記通信回線から前記同期信号を抽出する同期信号抽出ステップと、
前記同期信号から前記同期用クロック信号を再生し、当該同期用クロック信号を前記第２の通信装置に供給するクロック再生出力ステップと
を有することを特徴とする同期方法。
【図面の簡単な説明】
【００７１】
【図１】メタリック回線を用いてｘＤＳＬ通信を行う従来の通信システムを示す図である。
【図２】従来の通信システムの他の例を示す図である。
【図３】ｘＤＳＬを介在させてＡＴＭ通信装置間で通信を行う構成例である。
【図４】本発明の第１の実施の形態における通信システムの構成図である。
【図５】本発明の第２の実施の形態における通信システムの構成図である。
【図６】第２の実施の形態においてメタリック回線に送出される同期信号の周波数スペクトルを示す図である。
【図７】ｘＤＳＬ−ＡＴＭインタフェース装置７０、８０の詳細構成例１を示す図である。
【図８】信号波形の例を示す図である。
【図９】同期信号送出部７６を構成する回路の一例を示す図である。
【図１０】同期信号抽出部８４を構成する回路の一例を示す図である。
【図１１】ｘＤＳＬ−ＡＴＭインタフェース部７０、８０の詳細構成例２を示す図である。
【図１２】同期信号送出部７６を構成する回路の一例を示す図である。
【図１３】同期信号抽出部８４を構成する回路の一例を示す図である。
【図１４】本発明の第３の実施の形態における通信システムの構成図である。
【図１５】第３の実施の形態におけるメタリック回線上の信号の周波数スペクトルを示す図である。
【符号の説明】
【００７２】
１、１９  ｘＤＳＬモデム
７、２１  スプリッタ
１３、１５  メタリック回線
２５、２７  ＡＴＭ通信装置
４０、５０  通信装置
４２  同期信号送信装置
４４、４６  ｘＤＳＬ−同期網インタフェース装置
４８  クロック供給装置
５８  クロック抽出部
６０  分周部
６２  同期信号生成送出部
６４  同期信号抽出部
６６  クロック再生出力部
７０、８０  ｘＤＳＬ−ＡＴＭインタフェース装置
７２、８２  ＡＴＭ−イーサネット変換部
７４  分周部
７６  同期信号送出部
８４  同期信号抽出部
８６  クロック再生出力部
９２、１０４  波形整形部
９４  差動信号生成部
９０  結合回路
１００  分離回路
１０２  差動増幅部
１２０  同相信号生成部
１２２  加算増幅部
【図１】
2009088793.tif 000003
【図２】
2009088793.tif 000004
【図３】
2009088793.tif 000005
【図４】
2009088793.tif 000006
【図５】
2009088793.tif 000007
【図６】
2009088793.tif 000008
【図７】
2009088793.tif 000009
【図８】
2009088793.tif 000010
【図９】
2009088793.tif 000011
【図１０】
2009088793.tif 000012
【図１１】
2009088793.tif 000013
【図１２】
2009088793.tif 000014
【図１３】
2009088793.tif 000015
【図１４】
2009088793.tif 000016
【図１５】
2009088793.tif 000017